(57)【要約】【課題】撮影画像の一部の表示異常を効率的に検出できる撮影画像判定装置を提供する。【解決手段】カメラ１の撮影画像を表示するために用いられる垂直同期信号および水平同期信号を抽出する同期信号抽出部４と、垂直同期信号におけるパルス間隔時間を計測する時間計測部６１と、パルス間隔時間に応じて表示される撮影画像のフレームを水平方向の仮想線で分割し、仮想線で区画された複数の分割領域を設定する分割領域設定部６２と、  夫々の分割領域に対応する水平同期信号のパルス数を計測するパルス数計測部６３と、パルス数計測部６３で計測されたパルス数が所定値以上となる肯定条件を満足するか否かを判定する判定部７と、を備えている。【選択図】図３
2017224876.tif 000002
【特許請求の範囲】
【請求項１】
カメラで撮影した撮影画像を表示するために用いられる垂直同期信号および水平同期信号を抽出する同期信号抽出部と、
前記垂直同期信号におけるパルス間隔時間を計測する時間計測部と、
前記パルス間隔時間に応じて表示される前記撮影画像のフレームを水平方向の仮想線で分割し、当該仮想線で区画された複数の分割領域を設定する分割領域設定部と、
夫々の前記分割領域に対応する前記水平同期信号のパルス数を計測するパルス数計測部と、
前記パルス数計測部で計測された前記パルス数が所定値以上となる肯定条件を満足するか否かを判定する判定部と、を備えている撮影画像判定装置。
【請求項２】
複数の前記分割領域を表示させる優先順位を設定する優先順位設定部を備え、
前記判定部は、前記肯定条件を満足しないと判定した前記分割領域の前記優先順位以下に設定された前記分割領域に対応する前記撮影画像を表示させない非表示信号を出力する請求項１に記載の撮影画像判定装置。
【請求項３】
前記優先順位設定部は、前記撮影画像の下方にある前記分割領域ほど前記優先順位を高く設定する請求項２に記載の撮影画像判定装置。
【請求項４】
前記判定部は、前記肯定条件を満足しないと判定した前記分割領域に対応する前記撮影画像をマスキング処理するマスキング信号を出力する請求項１〜３のいずれか一項に記載の撮影画像判定装置。
【発明の詳細な説明】
【技術分野】
【０００１】
本発明は、カメラで撮影した撮影画像の表示異常を判定する撮影画像判定装置に関する。
【背景技術】
【０００２】
従来、車載カメラの撮影画像を車内のモニター画面に表示して運転支援を行う際、撮影画像の表示異常を判定する撮影画像判定装置が知られている（例えば、特許文献１参照）。
【０００３】
特許文献１の撮影画像判定装置では、表示部に入力される同期信号を用いて設定された所定のサンプリング間隔（例えば１秒間に所定回数）の色情報を加算し、１秒間の加算値が第１の閾値よりも小さい場合に表示異常（黒画状態）と判定するものである。
【先行技術文献】
【特許文献】
【０００４】
【特許文献１】特開２００９−４４５７２号公報
【発明の概要】
【発明が解決しようとする課題】
【０００５】
しかしながら、従来の画像表示装置では、１秒間の色信号の加算値に基づいて表示異常を判定しているため、撮影画像全体の表示異常を判定することができても、撮影画像の一部（例えば、一部の水平ライン）の表示異常を判定することができない。その結果、撮影画像全体を非表示にせざるを得ず、運転支援をする上で使い勝手が悪い。
【０００６】
そこで、撮影画像の一部の表示異常を効率的に検出できる撮影画像判定装置が求められている。
【課題を解決するための手段】
【０００７】
撮影画像判定装置の特徴構成は、カメラで撮影した撮影画像を表示するために用いられる垂直同期信号および水平同期信号を抽出する同期信号抽出部と、前記垂直同期信号におけるパルス間隔時間を計測する時間計測部と、前記パルス間隔時間に応じて表示される前記撮影画像のフレームを水平方向の仮想線で分割し、当該仮想線で区画された複数の分割領域を設定する分割領域設定部と、夫々の前記分割領域に対応する前記水平同期信号のパルス数を計測するパルス数計測部と、前記パルス数計測部で計測された前記パルス数が所定値以上となる肯定条件を満足するか否かを判定する判定部と、を備えている点にある。
【０００８】
一般的に、カメラの撮影画像を車両のモニター画面等に表示するために、映像信号の出力タイミングを同期させる垂直同期信号および水平同期信号が用いられている。本構成では、この垂直同期信号および水平同期信号を抽出し、抽出された垂直同期信号および水平同期信号を用いて判定している。つまり、１画素ごとの色信号で判定するのではなく、フレーム上の水平ラインごとに設定される水平同期信号を用いて判定しているので、演算量を少なくすることができる。
【０００９】
また、本構成では、垂直同期信号におけるパルス間隔時間を計測し、このパルス間隔時間に応じて表示される撮影画像のフレームを、水平方向の仮想線で分割した分割領域を設定している。そして、この分割領域に対応する水平同期信号のパルス数が所定値以上か否かを判定している。つまり、撮影画像の分割領域に対応する水平同期信号のパルス数が所定値を下回った場合、分割領域に含まれる水平ラインの一部が正常に表示されていないと判定するものである。
【００１０】
その結果、撮影画像全体を非表示にするのではなく、撮影画像の分割領域のみ非表示とすることが可能となる。例えば、車両のバンパー付近の画像が正常であれば、状況に応じてバンパー付近の画像のみを表示させれば良く、効率的な駐車支援をすることができる。このように、撮影画像の一部の表示異常を効率的に検出できる撮影画像判定装置を提供できた。
【００１１】
他の特徴構成は、複数の前記分割領域を表示させる優先順位を設定する優先順位設定部を備え、前記判定部は、前記肯定条件を満足しないと判定した前記分割領域の前記優先順位以下に設定された前記分割領域に対応する前記撮影画像を表示させない非表示信号を出力する点にある。このとき、前記優先順位設定部は、前記撮影画像の下方にある前記分割領域ほど前記優先順位を高く設定すると好適である。
【００１２】
本構成のように、肯定条件を満足しない分割領域の優先順位以下の分割領域を全て非表示とすることで、例えば優先順位の高いモニター画面下部のみ表示することができる。一方、分割領域の優先順位が全て等しい場合、モニター画面全体が非表示となる。その結果、モニター画面の中間部のみが非表示となるように飛び画像で表示されることが防止され、利用者が違和感を覚えることがない。
【００１３】
他の特徴構成は、前記肯定条件を満足しない前記分割領域をマスキング処理するマスキング信号を出力する点にある。
【００１４】
本構成のように、肯定条件を満足しない分割領域をマスキング処理すれば、利用者は、モニター画面上で撮影画像の表示領域のみを確実に注視することができる。
【図面の簡単な説明】
【００１５】
【図１】撮影画像判定装置の画像処理を説明する図である。
【図２】撮影画像判定装置の画像処理を説明する図である。
【図３】撮影画像判定装置の機能の一例を示すブロック図である。
【図４】表示異常判定処理のフロー図である。
【図５】表示判定サブルーチンのフロー図である。
【発明を実施するための形態】
【００１６】
以下に、本発明に係る撮影画像判定装置の実施形態について、図面に基づいて説明する。本実施形態では、撮影画像判定装置Ｘを用いて、車両の後部に備えられた車載カメラ１（カメラの一例）で撮影した撮影画像ＰＩを車両内のモニター画面に表示画面ＶＩとして表示する一例を説明する。ただし、以下の実施形態に限定されることなく、その要旨を逸脱しない範囲内で種々の変形が可能である。
【００１７】
車載カメラ１は、ＣＣＤ（charge coupled device）やＣＩＳ（CMOS image sensor）などの撮像素子を用いて、毎秒１５〜３０フレームＦの２次元画像を時系列に撮影し、デジタル変換して動画データ（撮影画像ＰＩ）をリアルタイムに出力するカメラである。なお、本実施形態では、毎秒３０フレームＦで撮影する車載カメラ１として説明する。
【００１８】
図３に示すように、車載カメラ１は、レンズや光路などで構成される光学ユニット１１と、撮像素子、信号処理回路や同期信号発生回路などで構成される信号処理部１２とを備えている。本実施形態における光学ユニット１１は、レンズが広角レンズで構成され、レンズから撮像素子の受光面までに侵入する外乱光を防ぐための鏡筒（光路）を有している。
【００１９】
信号処理部１２は、車両周辺の情景を光電変換によりアナログ画像信号に変換する撮像素子と、Ａ／Ｄコンバータによってアナログ信号をデジタル画像信号に変換する信号処理回路と、垂直同期信号および水平同期信号を発生する同期信号発生回路と、が一体化された半導体チップである。信号処理回路で変換されるデジタル画像信号には、画素ごとの輝度信号や色差信号が含まれており、このデジタル画像信号が垂直同期信号および水平同期信号で同期されて撮影画像ＰＩが生成される。
【００２０】
図１に示すように、垂直同期信号は、矩形状の波形を有するパルスで構成され、１つのパルスで撮影画像ＰＩの垂直方向に移動（画面右下から左上に移動）するものである。つまり、垂直同期信号のパルス間隔時間Ｔが撮影画像ＰＩのフレームレートの逆数に相当する。また、水平同期信号は、矩形状の波形を有するパルスで構成され、１つのパルスで撮影画像ＰＩの水平方向に移動（直下の水平ラインの左端に移動）するものである。つまり、水平同期信号のパルス数Ｐｉが撮影画像ＰＩの水平方向の映像ライン（水平ライン）の本数に相当する。本実施形態における信号処理部１２では、垂直同期信号の周波数が３０Ｈｚで構成され、水平同期信号の周波数が２４ｋＨｚで構成されている。つまり、撮影画像ＰＩが毎秒３０フレームＦで生成され、撮影画像ＰＩのフレームＦごとに８００本の水平ラインが生成されている。
【００２１】
図３に示すように、信号処理部１２で出力された撮影画像ＰＩは、画像処理部２によって補正処理が実行されて、表示部３で表示画面ＶＩとして出力される。なお、信号処理部１２で変換されたデジタル画像信号が垂直同期信号および水平同期信号で同期されて撮影画像ＰＩが生成されると説明したが、撮影画像ＰＩが外部に表示されるのは表示画面ＶＩの状態となる。つまり、本実施形態では、補正処理が施された撮影画像ＰＩを表示画面ＶＩとして定義しており、信号処理部１２で変換されたデジタル画像信号が垂直同期信号および水平同期信号で同期されて表示画面ＶＩが生成されることとなる。
【００２２】
図１に示すように、本実施形態の画像処理部２の一例として、撮影画像ＰＩにガイド画像Ｇを重畳して表示画面ＶＩを生成している。このガイド画像Ｇとして、車両の舵角に応じて変化する予想進路線Ｃ（点線表示）や、舵角に関係なく一定位置に描画される車両延長線Ｅ（実線表示）などが挙げられる。画像処理部２には、ステアリングセンサやシフトセンサなどで構成される各種センサの情報が入力され、ドライバーの運転状況に応じてガイド画像Ｇの位置が変更される。これによって、ドライバーが、表示画面ＶＩを見ながら駐車スペースに円滑に駐車することが可能となる。
【００２３】
表示部３は、例えば、ナビゲーションシステムのモニター装置が兼用される。このモニター装置は、例えば液晶ディスプレイによって構成され、トライバーが指で操作可能なタッチパネルを備えていても良い。
【００２４】
このように生成された表示画面ＶＩでは、水平同期信号が正常に出力されず、映像の一部に画像乱れが発生することがある。画像乱れが発生した場合、画像の一部が欠落した状態となって、障害物などの周囲の状況を的確に把握できないおそれがある。つまり、ドライバー自らが車両周辺の状況を確認するように注意喚起したり、状況に応じて画像乱れの発生していない映像のみを表示して正確な情報をドライバーに伝達したりすることが重要である。
【００２５】
そこで、本実施形態では、撮影画像判定装置Ｘを用いて、撮影画像ＰＩの一部の表示異常を効率的に検出することとしている。図３に示すように、この撮影画像判定装置Ｘは、同期信号抽出部４と、演算部６と、判定部７とを備えている。これら各機能部は各種処理を実行するＣＰＵやメモリを中核としたソフトウェア、又はハードウェアとソフトウェアとの協働により構成されている。なお、各機能部は、夫々独立した物理構成を有する必要はなく、夫々の機能が実現されれば良い。つまり、各機能部を併合しても良いし、信号処理部１２に組み込まれていても良い。また、各機能部は、本発明の要旨を逸脱しない限りにおいて、適宜省略することができる。
【００２６】
同期信号抽出部４は、車載カメラ１の撮影画像ＰＩを表示画面ＶＩに表示するために用いられる垂直同期信号および水平同期信号を抽出する。この垂直同期信号および水平同期信号は、フレームＦごとに矩形状の波形を有するパルスとして抽出される。
【００２７】
演算部６は、時間計測部６１と、分割領域設定部６２と、パルス数計測部６３とを有している。時間計測部６１は、垂直同期信号におけるパルス間隔時間Ｔを計測する（図１参照）。このパルス間隔時間Ｔは、１つのフレームＦが表示される時間であり、本実施形態では３３．３ｍｓで設定されている。分割領域設定部６２は、パルス間隔時間Ｔに応じて表示される撮影画像ＰＩのフレームＦを水平方向の仮想線Ｋで分割し、この仮想線Ｋで区画された複数の分割領域Ａｉを設定する（図１参照）。本実施形態では、フレームＦを３つの仮想線Ｋで分割しており、フレームＦの垂直方向に４つの分割領域Ａｉ（ｉ＝１〜Ｎ，Ｎ＝４）が設定されている。また、この分割領域Ａｉは、フレームＦの垂直方向に等間隔に並列しており、１つの分割領域Ａｉは、パルス間隔時間Ｔを４等分した分割同期時間（Ｔ／Ｎ）を有している。
【００２８】
パルス数計測部６３は、分割領域設定部６２で分割された分割領域Ａｉに対応する水平同期信号のパルス数Ｐｉ（ｉ＝１〜Ｎ，Ｎ＝４）を計測する。換言すると、パルス数計測部６３は、パルス間隔時間Ｔを分割領域Ａｉの個数である分割領域数Ｎで除算した分割同期時間（Ｔ／Ｎ）における水平同期信号の各パルス数Ｐｉを計測するものである。このパルス数計測部６３で計測された水平同期信号の各パルス数Ｐｉは、各分割領域Ａｉに関連付けられている。
【００２９】
判定部７は、パルス数計測部６３で計測された分割領域Ａｉごとの水平同期信号のパルス数Ｐｉが所定値以上である肯定条件を満足するか否かを判定する。上述したように、本実施形態では撮影画像ＰＩのフレームＦごとに８００本の水平ラインが生成されているので、１つの分割領域Ａｉに存在する２００本の水平ライン（パルス数Ｐｉ）に対して、映像乱れを視覚的に認識させない所定値（例えば、１９５本）として設定されることとなる。そして、判定部７は、水平同期信号の各パルス数Ｐｉが所定値以上である肯定条件を満足する分割領域Ａｉを表示させる表示信号を画像処理部２に出力するように構成されている。この表示信号を受けた画像処理部２は、表示される撮影画像ＰＩの分割領域Ａｉにガイド画像Ｇなどを重畳させて表示画面ＶＩを生成することとなる。
【００３０】
このように、判定部７は、画素ごとの輝度信号や色差信号を加算して判定するのではなく、フレームＦ上の水平ラインごとに設定される水平同期信号を用いて判定しているので、演算量を少なくすることができる。しかも、画像乱れの原因として、水平同期信号に異常が発生していることを容易に把握することができる。
【００３１】
本実施形態の撮影画像判定装置Ｘでは、分割領域Ａｉを表示画面ＶＩに表示させる優先順位を設定する優先順位設定部５を備えている。具体的には、車両の運転状況に応じた優先順位がマップ化されており、センサや撮影画像ＰＩからの情報に基づいて、フレームＦごとに分割領域Ａｉの優先順位が設定される。例えば、車両が駐車を実行している段階、つまりシフトレバーがＲレンジ、又は駐車領域およびその周辺画像（駐車車両等）が車載カメラ１の撮影画像ＰＩに写っている場合（図１参照）、全ての分割領域Ａｉが同じ優先順位に設定される。一方、車両が駐車を終えた段階、つまり、シフトレバーがＰレンジ、又は車両のバンパーＢ付近の画像のみが車載カメラ１の撮影画像ＰＩに写っている場合（図２参照）、撮影画像ＰＩの下方にある分割領域Ａｉほど（分割領域Ａ１から分割領域Ａ４に向かうに従って）優先順位が高く設定される。
【００３２】
この優先順位設定部５を備える撮影画像判定装置Ｘにおいて、判定部７は、水平同期信号の各パルス数Ｐｉが所定値以上である肯定条件を満足しない分割領域Ａｉの優先順位以下に設定された分割領域Ａｉ（分割領域Ａｉに対応する撮影画像）を表示しない非表示信号を画像処理部２に出力するように構成される。これによって、図１に示すように車両が駐車を実行している段階では、優先順位が全て同じに設定されているので、いずれか１つの分割領域Ａｉが肯定条件を満足しないとき、表示画面ＶＩ全体（全ての分割領域Ａｉ）を表示しないこととなる。一方、図２に示すように車両が駐車を終えた段階では、分割領域Ａ２のみが肯定条件を満足しないとき、表示画面ＶＩの上半分（分割領域Ａ１，Ａ２）を表示しないこととなる。このように、車両のバンパーＢ付近の画像が正常であれば、状況に応じてバンパーＢ付近の画像を表示させればよく、効率的な運転支援をすることができる。
【００３３】
また、判定部７は、肯定条件を満足しない分割領域Ａｉ（分割領域Ａｉに対応する撮影画像）をマスキング処理するマスキング信号を画像処理部２に出力する。このマスキング処理は、例えば、図１の状態では、表示画面ＶＩ全体が黒塗り画像となり、図２の状態では、表示画面ＶＩの上半分が黒塗り画像となる。その結果、ドライバーは、表示画面ＶＩ上で撮影画像ＰＩの表示領域のみを確実に注視することができる。なお、マスキング処理は黒塗り画像に限定されず、白塗り画像にしたり、所定のイラストを施したりしても良い。
【００３４】
また、車載カメラ１の信号処理部１２に不具合があることをドライバーに報知する報知部を備えていても良い。この場合、図１に示すように、例えば「映像が乱れています。車両周辺の状況を直接確認してください。」と表示画面ＶＩで報知したり、音声で報知したり、又はその両方で報知したりすることとなる。その結果、ドライバーは、違和感なく周囲の状況を安全確認することができる。
【００３５】
続いて、図４〜図５を用いて、本実施形態における表示異常の判定処理を説明する。図４に示すように、まず、カウント数ｉ＝０に設定（＃４１）すると共に、信号処理部１２にアクセスする（＃４２）。垂直同期信号が検出されない場合（＃４３Ｎｏ判定）、再度、信号処理部１２にアクセスする（＃４２）。
【００３６】
一方、垂直同期信号が検出された場合（＃４３Ｙｅｓ判定）、垂直同期信号を抽出してパルス間隔時間Ｔを計測すると共に、水平同期信号を抽出する（＃４４）。次いで、パルス間隔時間Ｔを予め設定された分割領域数Ｎで除算し、分割同期時間（Ｔ／Ｎ）を算出する（＃４５）。次いで、カウント数ｉ＝１にインクリメント（＃４６）して、分割領域Ａ１における水平同期信号のパルスを検出する（＃４７）。
【００３７】
次いで、垂直同期信号が検出されてから所定時間としての分割同期時間（Ｔ／Ｎ）が経過していない場合（＃４８Ｎｏ判定）、再度、分割領域Ａ１における水平同期信号のパルスを検出する（＃４７）。一方、垂直同期信号が検出されてから所定時間（Ｔ／Ｎ）が経過した場合（＃４８Ｙｅｓ判定）、検出された分割領域Ａ１における水平同期信号のパルス総個数であるパルス数Ｐ１が所定値（Ｐ１＝１９５）以上か否かを判定する（＃４９）。
【００３８】
分割領域Ａ１における水平同期信号のパルス数Ｐ１が所定値以上である場合（＃４９Ｙｅｓ判定）、分割領域Ａ１に肯定フラグを立て（＃５０）、パルス数Ｐ１が所定値より小さい場合（＃４９Ｎо判定）、分割領域Ａ１に否定フラグを立てる（＃５１）。次いで、カウント数ｉが分割領域数Ｎに達していない場合（＃５２Ｎｏ判定）、経過時間をリセットし（＃５４）、カウント数ｉ＝ｉ＋１にインクリメントし（＃４６）、分割領域Ａｉについて＃４７〜＃５２を繰り返す。一方、カウント数ｉが分割領域数Ｎに達している場合（＃５２Ｙｅｓ判定）、表示判定を行い（＃５３）、判定結果を画像処理部２に出力する（＃５５）。
【００３９】
ここで、表示判定（＃５３）のサブルーチンについて、図５を用いて説明する。肯定フラグ又は否定フラグが立てられた分割領域Ａｉに、優先順位を設定する（＃５３０）。次いで、否定フラグが立てられた分割領域Ａｉがない場合（＃５３１Ｎо判定）、撮影画像ＰＩが正常であるので、判定結果は、全ての分割領域Ａｉを表示する表示信号となる（＃５３６）。
【００４０】
一方、否定フラグが立てられた分割領域Ａｉがある場合（＃５３１Ｙｅｓ判定）、否定フラグが立てられた分割領域Ａｉのうち、最も高い優先順位を有する分割領域Ａｉｍａｘを選択する（＃５３２）。このとき、複数の分割領域Ａｉの優先順位が等しい場合、複数の分割領域Ａｉが最も高い優先順位を有する分割領域Ａｉｍａｘとして選択される。そして、最も高い優先順位を有する分割領域Ａｉｍａｘよりも優先順位の低い分割領域Ａｉがない場合（＃５３３Ｎｏ判定）、判定結果は、最も高い優先順位を有する分割領域Ａｉｍａｘのみが非表示信号となり、その他の分割領域Ａｉが表示信号となる（＃５３４）。逆に、最も高い優先順位を有する分割領域Ａｉｍａｘよりも優先順位の低い分割領域Ａｉがある場合（＃５３３Ｙｅｓ判定）、最も高い優先順位を有する分割領域Ａｉｍａｘの優先順位以下の分割領域Ａｉが非表示信号となり、その他の分割領域Ａｉが表示信号となる（＃５３４）。上述した表示異常の判定処理は、垂直同期信号が検出される度にリアルタイムに実行されるので、各ステップはパルス間隔時間Ｔごとに反復されることとなる。
【００４１】
なお、表示異常の判定処理における各ステップは、本発明の要旨を逸脱しない範囲内で適宜順番を入れ替えても良い。また、表示判定サブルーチン（＃５３）の判定結果を、車載カメラ１の故障判定に用いても良く、必ずしも表示画面ＶＩに車載カメラ１の撮影画像ＰＩを表示する用途に限定されない。
【００４２】
［その他の実施形態］
（１）分割領域Ａｉの数は、１つのフレームＦに設定される水平同期信号の総パルス数の範囲内で、更に細かく分割しても良く、特に限定されない。分割領域Ａｉの数が増えるほど、表示画面ＶＩの表示領域および非表示領域が細分化され、運転状況に応じたきめ細かいモニター表示を実現することができる。また、判定部７は、分割領域Ａｉごとの水平同期信号のパルス数Ｐｉが、所定値（上述した実施形態では、分割領域Ａｉに本来存在すべき水平同期信号として２００本）と等しい肯定条件を満足するか否かを判定しても良い。この場合、より精度の高い判定を行うことができる。
（２）分割領域Ａｉは等間隔でなくても良く、例えば、優先度が高いほど分割領域Ａｉの面積を増大させても良い。この場合、優先順位の高い分割領域Ａｉの表示エリアが拡大されるので、更に見やすい表示画面ＶＩとすることができる。
（３）上述した実施形態では、表示異常の判定処理を垂直同期信号が検出される度にリアルタイムに実行するとして説明したが、所定間隔おきに実行しても良い。この場合、先頭の判定結果が次の判定処理が開始されるまで適用されることとなる。
（４）時間計測部６１は、車載カメラ１に予め定められた垂直同期信号のパルス間隔時間Ｔから計測しても良い。この場合、垂直同期信号が検出されれば、次の垂直同期信号が検出されるまで待機する必要がないので、車載カメラ１が撮影した撮影画像ＰＩを表示画面ＶＩとして表示するまでの時間を短縮することが可能となる。
（５）表示異常の判定処理における判定結果を蓄積する記憶部を別に設けても良い。この場合、表示異常の発生回数をカウントして、発生回数が所定回数以上であれば車載カメラ１の故障であるとしてドライバーに報知しても良い。
【産業上の利用可能性】
【００４３】
本発明は、車載カメラで撮影した撮影画像を車両のモニター画面などに表示するときの表示異常を判定する撮影画像判定装置に利用可能である。
【符号の説明】
【００４４】
１    車載カメラ（カメラ）
４    同期信号抽出部
５    優先順位設定部
７    判定部
６１  時間計測部
６２  分割領域設定部
６３  パルス数計測部
Ａｉ  分割領域
Ｆ    フレーム
Ｋ    仮想線
ＰＩ  撮影画像
Ｐｉ  パルス数
Ｔ    パルス間隔時間
Ｘ    撮影画像判定装置
【図１】
2017224876.tif 000003
【図２】
2017224876.tif 000004
【図３】
2017224876.tif 000005
【図４】
2017224876.tif 000006
【図５】
2017224876.tif 000007